(57)【要約】【課題】照明装置とオーディオ装置を一体化させ、照明の動作に同期して、オーディオが動作する照明装置を提供すること。【解決手段】照明装置１０は、光を発光する光源１１と、光源１１の発光量を調整する調光制御部１７と、音声データを再生する制御部１６と、各調光段階に対応付けられたフォルダ名の情報を記憶する記憶部２０と、記憶部２０に記憶された各調光段階に対応付けられたフォルダ名の情報に基づいて現在設定されている調光段階に対応するフォルダに格納された音楽データファイルを再生する制御部１６を備える。【選択図】図２
2008204640.tif 000002
【特許請求の範囲】
【請求項１】
光を発光する発光手段と、
前記発光手段によって発光される発光量を調整する調光手段と、
音声を再生出力する音声再生手段と、
前記調光手段によって調整される発光量ごとに対応付けられた再生対象の音声に関する情報である再生対象音声情報を記憶する記憶手段と、
現在の発光量及び前記記憶手段に記憶された前記再生対象音声情報に基づいて前記音声再生手段による音声の再生を制御する制御手段と、
を備えることを特徴とする照明装置。
【請求項２】
前記音声再生手段によって出力される出力音量を調整する音量調整手段と、
計時手段を備え、
前記制御手段は、前記調光手段による発光量の調整及び前記音量調整手段による出力音量の調整を前記計時手段による計時に基づいて制御すること
を特徴とする請求項１に記載の照明装置。
【請求項３】
記憶媒体を脱着可能に接続する入力手段を備え、
前記制御手段は、前記入力手段に接続された記憶媒体に記憶された音声データの再生を制御すること
を特徴とする請求項１又は請求項２に記載の照明装置。
【発明の詳細な説明】
【技術分野】
【０００１】
本発明は、照明装置に関する。
【背景技術】
【０００２】
就寝時に眠りに就くまでの間、電気スタンドなどの小型の照明装置を使用する場合がある。従来、照明装置には発光する光量を調整する調光機能や、指定時間後に消灯するタイマー機能を備えたものが知られている。また、同様に就寝時に音楽を聴きながら眠りに就きたい場合は、オーディオ装置の電源を入れ、指定時間後にPower Offするタイマー機能などを使用する場合がある。
【０００３】
図８は、従来の照明装置の構成の例を示すブロック図である。図８に示すように、照明装置１は、操作部２、マイコン３、調光制御部４、及び光源５を備える。操作部２からの操作信号を受信したマイコン３の制御により、光源５が点灯される。そして、操作部２からの操作信号を受信した調光制御部４の制御によって、光源５の発光量が調整させる。
【０００４】
また、特許文献１には、携帯型オーディオ装置を照明装置に接続し、携帯型オーディオ装置から出力されるアナログ信号を照明装置で増幅し、スピーカ出力させる技術が開示されている。
【特許文献１】実用新案登録第３１２２２４４号公報
【発明の開示】
【発明が解決しようとする課題】
【０００５】
しかしながら、上記従来技術では、照明装置を使用しながら音楽を聞く際に、照明装置の他に別途オーディオ装置を用意する必要があり、また、電気スタンドと共にオーディオ装置の電源を個々に入れなければならないため消費電力が大きい。更に、照明装置とオーディオ装置の動作が同期しないため、照明装置とオーディオ装置それぞれの操作設定をする必要がある。
【０００６】
本発明の課題は、照明装置とオーディオ装置を一体化させ、照明の動作に同期して、オーディオが動作する照明装置を提供することである。
【課題を解決するための手段】
【０００７】
請求項１に記載の発明は、照明装置において、
光を発光する発光手段と、
前記発光手段によって発光される発光量を調整する調光手段と、
音声を再生出力する音声再生手段と、
前記発光手段によって調整される発光量ごとに対応付けられた再生対象の音声に関する情報である再生対象音声情報を記憶する記憶手段と、
現在の発光量及び前記記憶手段に記憶された前記再生対象音声情報に基づいて前記音声再生手段による音声の再生を制御する制御手段と、
を備えることを特徴とする。
【０００８】
請求項２に記載の発明は、請求項１に記載の照明装置において、
前記音声再生手段によって出力される出力音量を調整する音量調整手段と、
計時手段を備え、
前記制御手段は、前記調光手段による発光量の調整及び前記音量調整手段による出力音量の調整を前記計時手段による計時に基づいて制御すること
を特徴とする。
【０００９】
請求項３に記載の発明は、請求項１又は請求項２に記載の照明装置において、
記憶媒体と脱着可能に接続する入力手段を備え、
前記制御手段は、前記入力手段に接続された記憶媒体に記憶された音声データの再生を制御すること
を特徴とする。
【発明の効果】
【００１０】
本発明によれば、照明装置とオーディオ装置を一体化させ、照明の動作に同期して、オーディオが動作する照明装置を提供することができる。
【発明を実施するための最良の形態】
【００１１】
以下、図面を参照して本発明に係る実施の形態を説明する。ただし、発明の範囲は本実施の形態に限定されない。
【００１２】
図１は、本発明に係る照明装置の外観を示す概要図である。図１に示すように、照明装置１０は、光源１１、スピーカ１２、操作部１３、表示部１４、及び入力部１５を備える。
【００１３】
光源１１は、蛍光灯や白熱灯等の定常光を発光することが可能な光源である。スピーカ１２は、照明装置１０による音楽等の音声データの再生によって出力される音声をアナログ出力する音声出力装置である。操作部１３は、光源１１の発光の発光量の増減、発光のＯＮ／Ｏｆｆ、スピーカ１２から音声出力される音量の増減、音声データの再生／停止等を操作するためのボタン等からなる操作部である。表示部１４は、音楽名、音量等の現在再生されている音声データに関する情報等を表示する表示部である。入力部１５は、照明装置１０によって再生される音声データを入力する入力部である。ＵＳＢフラッシュメモリ１５ａ、メモリカード１５ｂ、又はハードディスク等を用いたポータブルプレーヤー１５ｃ等の記録媒体から音声データが入力される。
【００１４】
図２は、照明装置１０の構成を示すブロック図である。図２に示すように、照明装置１０は、光源１１、スピーカ１２、操作部１３、表示部１４、入力部１５、制御部１６、調光制御部１７、ＤＡＣ（Digital Analog Converter）１８、アンプ部１９、記憶部２０、及び計時部２１を備え、各ブロックは電気的に接続されている。
【００１５】
制御部１６は、マイコン１６ａ、デコーダ１６ｂ、及びＤＳＰ（Digital Signal Processor）１６ｃを備え、照明装置１０が行う処理の全体を制御する。マイコン１６ａは、表示部１４、調光制御部１７、ＤＡＣ１８、及びアンプ部１９等の処理を制御し、また、操作部１３等からの制御信号等を受け、各種制御を行う。デコーダ１６ｂは、入力部１５から入力されたデジタル音声データをＤＳＰ１６ｃ等により処理できるデータ形式にデコードする処理を行う。ＤＳＰ１６ｃは、デコーダ１６ｂによりデコードされたデジタル音声データを再生し、ＤＡＣ１８が処理できるデータ形式に変換する。
【００１６】
調光制御部１７は、制御部１６から出力された制御信号を受けて光源１１の発光量の増減を制御する。ＤＡＣ１８は、ＤＳＰ１６ｃから出力されたデジタル音声データをアナログ音声データに変換する処理を行う。アンプ部１９は、電圧等を変化させることによってＤＡＣ１８から出力されたアナログ音声データの振幅を増減させる。アンプ部１９によってなされるアナログ音声データの振幅の増減によって、スピーカ１２から出力される音声の音量が変化する。記憶部２０は、ＲＡＭ等の記憶媒体であり、スピーカ１２からアナログ出力される音声の音量の現在の設定値情報、及び光源１１の発光量の現在の設定値情報等を記憶する。計時部２１は、現在時刻の計時、時間間隔の計時等を行い、計時結果を制御部１６へ出力する。
【００１７】
次に、照明装置１０によって音楽データを再生するための３つの方法についてそれぞれ説明する。
【００１８】
まず、照明装置１０は、入力部１５から入力された音楽データをオーディオ装置と同様に通常の方法によって音楽データを再生することができる（以下、第１の再生モードという。）。すなわち、照明装置１０のユーザは、表示部１４に表示された表示内容を確認しながら、操作部１３の操作により入力部１５に入力されたＵＳＢフラッシュメモリ等の記憶媒体内に記憶された音楽データの中から再生を所望する音楽データを選択し、再生することができる。光源１１の点灯／消灯及び調光も操作部１３の操作により行うことができる。
【００１９】
また、入力部１５にＵＳＢフラッシュメモリ等の記憶媒体が入力されると制御部１６がこれを検知し、操作部１３を操作せずとも音楽データを再生し、光源１１を点灯することとしても良い。
【００２０】
以上のような構成とすることで、照明装置１０のユーザは、音楽を再生するためのオーディオ機器を別途用意することなく、音楽を再生することができる。
【００２１】
照明装置１０は、更に２つの再生モード（以下、それぞれ第２の再生モード、第３の再生モードという。）によって音楽データを再生することができる。再生モードの切替は、操作部１３の操作によって制御信号を受けた制御部１６により制御される。
【００２２】
第２の再生モードは、操作部１３の操作によって再生する音楽を選定すること無しに、調光制御部１７によって調光された光源１１の発光量（以下、調光段階という。）に対応する音楽が再生される再生モードである。
【００２３】
第２の再生モードで音楽を再生するために、まず、照明装置１０のユーザは、各調光段階に応じたフォルダをＵＳＢフラッシュメモリ等の記憶媒体内に作成し、このフォルダ内に音楽データを格納する。フォルダの作成及び音楽データの格納は、ＰＣ（Personal Computer）等のコンピュータを使用して行う。そして音楽再生の際は、制御部１６は、ＵＳＢフラッシュメモリ等の記憶媒体から入力部１５に入力された音楽データのうち、現在の調光段階に応じたフォルダ内に格納された音楽データを再生する。
【００２４】
図３は、第２の再生モードによって音楽データが再生される際の、各調光段階と各フォルダの対応を示す概念図である。図３に示すように、調光段階３０には操作部１３によって設定可能な各調光段階が示されており、明るさ０、明るさ１、明るさ２となるにしたがって明るくなる。この各調光段階と各フォルダの対応情報及び現在設定されている調光段階の情報は、記憶部２０に記憶されている。また、フォルダ４０には、入力部１５へ入力する音楽データを記憶するＵＳＢフラッシュメモリ等の記憶媒体内に作成された各フォルダ名が示されている。明るさ０にはフォルダ０が、明るさ１にはフォルダ１が、明るさ２にはフォルダ２がそれぞれ対応している。このように調光段階とフォルダが対応していることによって、制御部１６は、記憶部２０に記憶されている調光段階情報に対応するフォルダに記憶された音楽データを再生する。
【００２５】
以上のような構成とすることで、ユーザは、例えば、フォルダ０には眠りに適した音楽データを格納し、フォルダ３にはアップテンポの音楽データを格納等することで、選曲操作をすること無しに各調光段階に適した音楽を再生することができる。
【００２６】
第３の再生モードは、光源１１を点灯させ、音楽を再生しているときに、照明装置１０の電源がＯｆｆになるまでの時間を設定すると、所定の時間から光源１１の発光量及びスピーカ１２から出力される音量が徐々に減少し、設定された時間に到達すると照明装置１０の電源がＯｆｆになるという再生モードである。
【００２７】
第３の再生モードによれば、照明及びオーディオのタイマー機能の同期を取ることができ、ユーザが複数の装置のタイマー機能を設定しなければならないという手間を省くことができる。
【００２８】
図４及び図５を参照して、第１ないし第３の再生モードについて説明する。図４は、第１ないし第３の再生モードにて音楽を再生しているときに制御部１６が行う処理の流れを示すフローチャートである。
【００２９】
まず、操作部１３の操作により電源が入れられると、照明装置１０はPower Onの状態になる（ステップＳ１）。
【００３０】
次いで、記憶部２０に記憶されている現在設定されている調光段階情報（ｎ）が取得され（ステップＳ２）、ｎに対応する調光段階で光源１１が点灯される（ステップＳ３）。
【００３１】
次いで、操作部１３の操作により電源が切られ、照明装置１０がPower Offの状態である場合（ステップＳ４；Ｙｅｓ）、この処理は終了する。照明装置１０がPower Offの状態でない場合（ステップＳ４；Ｎｏ）、ステップＳ５に進む。
【００３２】
次いで、操作部１３の操作により設定された再生モードが第１の再生モードである場合（ステップＳ５；Ｙｅｓ）、ステップＳ６に進む。
【００３３】
次いで、操作部１３の操作により指定されたフォルダ内（以下、指定フォルダという。）の音楽データファイルが再生中である場合（ステップＳ６；Ｙｅｓ）、ステップＳ７に進む。
【００３４】
次いで、操作部１３の操作により音楽データファイルが選択され（ステップＳ７；Ｙｅｓ）、再生する音楽データファイルが確定した場合（ステップＳ８；Ｙｅｓ）、確定した音楽データファイルを再生する（ステップＳ９）。再生する音楽データファイルが確定されない場合（ステップＳ８；Ｎｏ）、ステップＳ７に進む。
【００３５】
音楽データファイルが選択されず（ステップＳ７；Ｎｏ）、指定フォルダ内の音楽データファイル全曲が再生終了した場合（ステップＳ１０；Ｙｅｓ）、指定フォルダ内の音楽データファイルの１曲目を再生する（ステップＳ１１）。指定フォルダ内の音楽データファイルの全曲再生が終了していない場合（ステップＳ１０；Ｎｏ）、ステップＳ６に進む。
【００３６】
音楽データファイルが再生中ではない場合（ステップＳ６；Ｎｏ）、操作部１３の操作により音楽データファイルが選択され（ステップＳ１２；Ｙｅｓ）、再生する音楽データファイルが確定した場合（ステップＳ１３；Ｙｅｓ）、確定した音楽データファイルを再生し（ステップＳ１４）、ステップＳ６に進む。再生する音楽データファイルが確定せず（ステップＳ１３；Ｎｏ）、音楽データファイルが選択されない場合（ステップＳ１２；Ｎｏ）、ステップＳ４に進む。
【００３７】
操作部１３の操作により設定された再生モードが第１の再生モードではない場合（ステップＳ５；Ｎｏ）、記憶部２０に記憶されている現在の調光段階情報（ｎ）に対応するフォルダ（フォルダｎ）に格納された音楽データファイルを再生する（ステップＳ１５）。すなわち、第２の再生モードにて再生する。
【００３８】
次いで、操作部１３の操作により、所定時間後に光源１１及び音楽データファイル再生がＯｆｆになるよう（以下、スリープタイマー機能という。）に設定されている場合（ステップＳ１６；Ｙｅｓ）、第３の再生モードによる音楽データファイルの再生を行い（ステップＳ１７）、この処理は終了する。スリープタイマー機能が設定されていない場合（ステップＳ１６；Ｎｏ）、ステップＳ６に進む。
【００３９】
図５は、図４における第３の再生モードによる音楽データファイルの再生処理（ステップＳ１７）にて制御部１６が行う処理の詳細を示すフローチャートである。この処理は、スリープタイマー機能が設定されているとき（図４のステップＳ１６；Ｙｅｓ）に開始する。
【００４０】
まず、スリープタイマー機能において設定された時間がまだ経過していない場合（ステップＳ２０；Ｎｏ）、ステップＳ２１に進む。
【００４１】
次いで、設定された時間の残り時間が１分の場合（ステップＳ２１；Ｙｅｓ）、現在のスピーカ１２から音声出力されている音量を下げて音量値ａに設定し、加えて、光源１１の発光量を下げて調光段階Ａに設定する（ステップＳ２２）。なお、音量及び発光量は、それぞれ制御部１６から制御信号を受けたアンプ部及び調光制御部の制御により下げられる。
【００４２】
次いで、フォルダｎ内の音楽データファイルの全曲再生が終了していない場合（ステップＳ２９；Ｎｏ）、ステップＳ２０に進む。全曲再生が終了している場合（ステップＳ２９；Ｙｅｓ）、フォルダｎ内の１曲目の音楽データファイルを再生し（ステップＳ３０）、ステップＳ２０に進む。
【００４３】
次いで、設定された時間の残り時間が４５秒の場合（ステップＳ２３；Ｙｅｓ）、現在のスピーカ１２から音声出力されている音量を下げて音量値ｂに設定し、加えて、光源１１の発光量を下げて調光段階Ｂに設定し（ステップＳ２４）、ステップＳ２９に進む。
【００４４】
次いで、設定された時間の残り時間が３０秒の場合（ステップＳ２５；Ｙｅｓ）、現在のスピーカ１２から音声出力されている音量を下げて音量値ｃに設定し、加えて、光源１１の発光量を下げて調光段階Ｃに設定し（ステップＳ２６）、ステップＳ２９に進む。
【００４５】
次いで、設定された時間の残り時間が１５秒の場合（ステップＳ２７；Ｙｅｓ）、現在のスピーカ１２から音声出力されている音量を下げて音量値ｄに設定し、加えて、光源１１の発光量を下げて調光段階Ｄに設定し（ステップＳ２８）、ステップＳ２９に進む。
【００４６】
次いで、設定された時間に到達した場合（ステップＳ２０；Ｙｅｓ）、音楽データファイルの再生は停止され、光源１１は消灯され、照明装置１０はPower Offの状態になり（ステップＳ３１）、この処理は終了する。
【００４７】
なお、音量値ａ、ｂ、ｃ、及びｄの大小関係は、ａ＞ｂ＞ｃ＞ｄである。調光段階Ａ、Ｂ、Ｃ、及びＤの発光量の大小関係は、Ａ＞Ｂ＞Ｃ＞Ｄである。
【００４８】
図６は、設定された時間の残り時間が１分を経過した時点からの音量の変化の概要をグラフに示した概念図である。縦軸は音量の値を示し、上方向に進むに従って値が増加する。横軸は、設定された時間に到達するまでの残り時間の経過を示し、右方向に進むに従って時間が経過する。図６に示すように、音量Ｓは、残り時間が１分経過後０秒になるまで減少する。音量の初期値及び減少量は任意であり、残り時間１分経過後、略線形的に値が０になるまで減少する。
【００４９】
図７は、設定された時間の残り時間が１分を経過した時点からの発光量の変化の概要をグラフに示した概念図である。縦軸は発光量の値を示し、上方向に進むに従って値が増加する。横軸は、設定された時間に到達するまでの残り時間の経過を示し、右方向に進むに従って時間が経過する。図７に示すように、発光量Ｌは、残り時間が１分経過後０秒になるまで減少する。発光量の初期値及び減少量は任意であり、残り時間１分経過後、略線形的に値が０になるまで減少する。
【００５０】
また、設定された時間の残り時間が１分のときから１５秒おきに音量及び発光量を下げることとしたがこの形式に限定されず、各時間は任意である。設定された時間に到達するまで、徐々に音量及び発光量が下がることとすればよい。例えば、音量及び発光量を下げる時間間隔を微小に設定し、時間の経過と共に音量及び発光量を直線的に下げることとしても良い。
【００５１】
また、第３の再生モードによれば、設定された時間に到達するまで、徐々に音量及び発光量が下がることとしたが、この実施形態の変形例として例えば、操作部１３の操作により設定された所定の時間に到達すると、照明装置１０から出力する音量及び発光量が０の状態から徐々に音量及び発光量がそれぞれ上がるようにすることとしても良い。この変形例は、第３の再生モードと同様、図２に示す構成で実施することができる。
【００５２】
この変形例によれば、照明装置１０のユーザは、所望する起床時間に音楽が再生され、照明が点灯するように設定することで、目覚ましとして照明装置１０を使用することができる。照明とオーディオが同期し、照明の発光量とオーディオの音量が徐々に大きくなり、快適に起床することができる。
【００５３】
また、音量及び発光量の変化の関係は以上のような形式に限定されず、音量が増加するにつれて発光量は減少する、若しくは音量が減少するにつれて発光量は増加することとしても良い。また、音量及び発光量は変化せず、設定された時間に到達すると音楽データファイルの再生は停止され、光源１１は消灯されることとしても良い。
【００５４】
以上のように、本実施の形態によれば、照明装置１０は、光を発光する光源１１と、光源１１の発光量を調整する調光制御部１７と、音声データを再生する制御部１６と、各調光段階に対応付けられたフォルダ名の情報を記憶する記憶部２０と、記憶部２０に記憶された各調光段階に対応付けられたフォルダ名の情報に基づいて現在設定されている調光段階に対応するフォルダに格納された音楽データファイルを再生する制御部１６を備える。
【００５５】
以上のような構成とすることで、照明装置１０のユーザは、例えば、暗い発光量の調光段階に対応するフォルダには眠りに適した音楽データを格納し、明るい発光量の調光段階に対応するフォルダにはアップテンポの音楽データを格納等することで、選曲操作をすること無しに各発光量に適した音楽を再生することができる。
【００５６】
また、照明装置１０は、スピーカ１２からの出力音量を調整するアンプ部１９と、計時部２１を備え、制御部１６は、調光制御部１７による発光量の調整及びアンプ部１９による出力音量の調整を計時部２１による計時に応じて制御することによって、照明及びオーディオのタイマー機能の同期を取ることができ、ユーザが複数の装置のタイマー機能を設定しなければならないという手間を省くことができる。
【図面の簡単な説明】
【００５７】
【図１】本発明に係る照明装置の外観を示す概要図である。
【図２】本発明に係る照明装置の構成を示すブロック図である。
【図３】第２の再生モードによって音楽データが再生される際の、調光段階とフォルダの対応を示す概念図である。
【図４】第１ないし第３の再生モードにて音楽を再生しているときに制御部１６が行う処理の流れを示すフローチャートである。
【図５】第３の再生モードによる音楽データファイルの再生処理にて制御部１６が行う処理の詳細を示すフローチャートである。
【図６】設定された時間の残り時間が１分を経過した時点からの音量の変化の概要をグラフに示した概念図である。
【図７】設定された時間の残り時間が１分を経過した時点からの発光量の変化の概要をグラフに示した概念図である。
【図８】従来の照明装置の構成の例を示すブロック図である。
【符号の説明】
【００５８】
１  照明装置
２  操作部
３  マイコン
４  調光制御部
５  光源
１０  照明装置
１１  光源
１２  スピーカ
１３  操作部
１４  表示部
１５  入力部
１６  制御部
１６ａ  マイコン
１６ｂ  デコーダ
１６ｃ  ＤＳＰ
１７  調光制御部
１８  ＤＡＣ
１９  アンプ部
２０  記憶部
２１  計時部
【図１】
2008204640.tif 000003
【図２】
2008204640.tif 000004
【図３】
2008204640.tif 000005
【図４】
2008204640.tif 000006
【図５】
2008204640.tif 000007
【図６】
2008204640.tif 000008
【図７】
2008204640.tif 000009
【図８】
2008204640.tif 000010